(57)【要約】【課題】圧縮スリーブを保持した状態でそのまま仮圧縮を行うことが可能な圧縮スリーブの仮圧縮工具を提供する。【解決手段】圧縮スリーブの仮圧縮工具１は、送電線等の電線を圧縮スリーブの端部から挿入して圧縮接続する際に、絶縁ヤットコを用いて圧縮スリーブを仮圧縮する工具であり、はさみ状のはさみ部１０と、圧縮スリーブを挟持する一対の挟持具２０とを備えている。はさみ部１０は、２枚の刃が一対になって圧縮スリーブを仮圧縮する刃部１１と、支軸１２と、アーム部１３と、絶縁ヤットコに装着されるヤットコ装着部１４とを備えている。一対の挟持具２０は、本体部２１と、開口部２２と、圧縮スリーブを挟持する状態（第１の閉状態）から圧縮スリーブを仮圧縮する状態（第２の閉状態）まで刃部１１を動かすことが可能な可動域２３と、案内部２４と、スリーブ挟持部２５とを備えている。【選択図】  図１
2018148596.tif 000002
【特許請求の範囲】
【請求項１】
電線を圧縮スリーブの端部から挿入して圧縮接続する際に、絶縁ヤットコを用いて前記圧縮スリーブを仮圧縮する圧縮スリーブの仮圧縮工具であって、
前記絶縁ヤットコに装着されて前記絶縁ヤットコの開閉に伴って開閉し、前記圧縮スリーブを仮圧縮する一対の圧縮具と、
前記一対の圧縮具にそれぞれ装着され、外力が加わらない状態では前記一対の圧縮具をそれぞれ覆う一対の挟持具と、を備え、
前記絶縁ヤットコを第１の閉状態まで閉じると、前記一対の挟持具が前記圧縮スリーブを挟持し、前記絶縁ヤットコをさらに第２の閉状態まで閉じると、前記一対の圧縮具がそれぞれ前記一対の挟持具から突出して前記圧縮スリーブを仮圧縮する、
ことを特徴とする圧縮スリーブの仮圧縮工具。
【請求項２】
前記一対の挟持具は、前記第１の閉状態で前記圧縮スリーブに同軸な略筒状体となり、かつ、該筒状体の端部に略ラッパ状で前記電線を前記圧縮スリーブの端部に案内する案内部が設けられている、
ことを特徴とする請求項１に記載の圧縮スリーブの仮圧縮工具。
【請求項３】
前記一対の圧縮具は、電線の被覆を切断するための被覆切断用はさみの刃部で構成されている、
ことを特徴とする請求項１または２のいずれか１項に記載の圧縮スリーブの仮圧縮工具。
【請求項４】
前記被覆切断用はさみの刃部には、前記圧縮スリーブを仮圧縮する際に前記圧縮スリーブに接触する突起部が設けられている、
ことを特徴とする請求項３に記載の圧縮スリーブの仮圧縮工具。
【請求項５】
前記一対の圧縮具は、前記一対の挟持具にそれぞれ装着された状態で固定されている、
ことを特徴とする請求項１または２のいずれか１項に記載の圧縮スリーブの仮圧縮工具。
【発明の詳細な説明】
【技術分野】
【０００１】
この発明は、電線を圧縮スリーブの端部から挿入して圧縮接続する際、圧縮スリーブを仮圧縮する圧縮スリーブの仮圧縮工具に関する。
【背景技術】
【０００２】
送電線の建設時や事故による断線から復旧する場合、電線を軸方向に接続させる接続作業が行われる。この電線の接続作業は、接続する電線の内の一方の電線を円筒状の圧縮スリーブの一端に挿入して仮圧縮を行い、その後、間接活線工具で圧縮スリーブを保持して柱上まで持ち上げ、圧縮スリーブの他端に、別の間接活線工具を使用して他方の電線を挿入して圧縮器による圧縮を行い、圧縮接続させることにより行われる。このとき、圧縮スリーブの端部の内径と電線の外径は近接しているので、間接活線工具を使用して圧縮スリーブの端部に電線を挿入するのは、容易ではない。また、圧縮接続の際、電線が圧縮スリーブの端部から抜けてしまうことがある。この圧縮接続は、他方の電線が充電している状態で行われるため、他の設備に接触して配電線事故に至ったり、作業者に接触して感電事故が起こったりするおそれがある。
【０００３】
そのため、例えば、圧縮スリーブを嵌め込む溝部を形成したホルダ部と、漏斗形状または凹面曲形状に形成されてホルダ部に電線を案内する導入部と、ホルダ部で把持した圧縮スリーブの一部を仮圧縮するプッシャとが備えられた間接活線作業用工具が知られている（例えば、特許文献１参照。）。
【先行技術文献】
【特許文献】
【０００４】
【特許文献１】特開２０１０−０２２１３０号公報
【発明の概要】
【発明が解決しようとする課題】
【０００５】
ところで、特許文献１に記載の間接活線作業用工具は、プッシャが別の工具で押圧するようになっているため、この工具のみでは、圧縮スリーブを仮圧縮することはできない。
【０００６】
そこでこの発明は、圧縮スリーブを保持した状態でそのまま仮圧縮を行うことが可能な圧縮スリーブの仮圧縮工具を提供することを目的とする。
【課題を解決するための手段】
【０００７】
上記課題を解決するために、請求項１の発明は、電線を圧縮スリーブの端部から挿入して圧縮接続する際に、絶縁ヤットコを用いて前記圧縮スリーブを仮圧縮する圧縮スリーブの仮圧縮工具であって、前記絶縁ヤットコに装着されて前記絶縁ヤットコの開閉に伴って開閉し、前記圧縮スリーブを仮圧縮する一対の圧縮具と、前記一対の圧縮具にそれぞれ装着され、外力が加わらない状態では前記一対の圧縮具をそれぞれ覆う一対の挟持具と、を備え、前記絶縁ヤットコを第１の閉状態まで閉じると、前記一対の挟持具が前記圧縮スリーブを挟持し、前記絶縁ヤットコをさらに第２の閉状態まで閉じると、前記一対の圧縮具がそれぞれ前記一対の挟持具から突出して前記圧縮スリーブを仮圧縮する、ことを特徴とする。
【０００８】
この発明では、一対の挟持具が圧縮スリーブを仮圧縮する一対の圧縮具にそれぞれ装着され、この一対の圧縮具が絶縁ヤットコに装着されている。絶縁ヤットコを第１の閉状態まで閉じると、一対の挟持具が圧縮スリーブを挟持する。絶縁ヤットコをさらに第２の閉状態まで閉じると、一対の圧縮具がそれぞれ一対の挟持具から突出して圧縮スリーブを仮圧縮する。
【０００９】
請求項２の発明は、請求項１に記載の圧縮スリーブの仮圧縮工具において、前記一対の挟持具は、前記第１の閉状態で前記圧縮スリーブに同軸な略筒状体となり、かつ、該筒状体の端部に略ラッパ状で前記電線を前記圧縮スリーブの端部に案内する案内部が設けられている、ことを特徴とする。
【００１０】
請求項３の発明は、請求項１または２のいずれか１項に記載の圧縮スリーブの仮圧縮工具において、前記一対の圧縮具は、電線の被覆を切断するための被覆切断用はさみの刃部で構成されている、ことを特徴とする。
【００１１】
請求項４の発明は、請求項３に記載の圧縮スリーブの仮圧縮工具において、前記被覆切断用はさみの刃部には、前記圧縮スリーブを仮圧縮する際に前記圧縮スリーブに接触する突起部が設けられている、ことを特徴とする。
【００１２】
請求項５の発明は、請求項１または２のいずれか１項に記載の圧縮スリーブの仮圧縮工具において、前記一対の圧縮具は、前記一対の挟持具にそれぞれ装着された状態で固定されている、ことを特徴とする。
【発明の効果】
【００１３】
請求項１の発明によれば、絶縁ヤットコを第１の閉状態まで閉じると、一対の挟持具が圧縮スリーブを挟持し、絶縁ヤットコをさらに第２の閉状態まで閉じると、一対の圧縮具がそれぞれ一対の挟持具から突出して圧縮スリーブを仮圧縮するので、圧縮スリーブが一対の挟持具により挟持された状態（第１の閉状態）から、そのまま他の間接活線工具を使用せずに仮圧縮を行う（第２の閉状態）ことが可能になる。これにより、容易に仮圧縮を行うことが可能になるとともに、圧縮スリーブから電線が抜けてしまうことを防止できるので、配電線事故や感電事故を防止することが可能になり、作業の安全性が向上する。
【００１４】
請求項２の発明によれば、略筒状体である一対の挟持具の端部に略ラッパ状で電線を圧縮スリーブの端部に案内する案内部が設けられているので、間接活線工具を使用して、圧縮スリーブの端部に電線を容易に挿入することができる。
【００１５】
請求項３の発明によれば、一対の圧縮具が電線の被覆を切断するための被覆切断用はさみの刃部で構成されているので、既存の工具を利用することが可能であるため、簡便にこの発明を適用することができる。
【００１６】
請求項４の発明によれば、被覆切断用はさみの刃部には圧縮スリーブに接触する突起部が設けられているので、絶縁ヤットコから仮圧縮する力を効率的に圧縮スリーブへ伝えることができる。
【００１７】
請求項５の発明によれば、一対の圧縮具が一対の挟持具にそれぞれ装着された状態で固定されているので、一対の圧縮具と一対の挟持具とが一体化された仮圧縮工具として構成されるので、単純な構成により簡便に本発明を適用することが可能になる。
【図面の簡単な説明】
【００１８】
【図１】この発明の実施の形態１に係る圧縮スリーブの仮圧縮工具１を示す図であり、正面図（ａ）、右側面図（ｂ）、及び斜視図（ｃ）である。
【図２】図１の仮圧縮工具１を用いて圧縮スリーブＰの仮圧縮を行う状態を示す右側面図である。
【図３】図１の仮圧縮工具１における第１の閉状態を示す拡大正面図である。
【図４】図１の仮圧縮工具１における第２の閉状態を示す拡大正面図である。
【図５】この発明の実施の形態２に係る圧縮スリーブの仮圧縮工具１Ａを示す図であり、正面図（ａ）、及び右側面図（ｂ）である。
【図６】この発明の実施の形態３に係る圧縮スリーブの仮圧縮工具１Ｂを示す図であり、正面図（ａ）、及び右側面図（ｂ）である。
【発明を実施するための形態】
【００１９】
以下、この発明を図示の実施の形態に基づいて説明する。
【００２０】
（実施の形態１）
図１ないし図４は、この発明の実施の形態１に係る圧縮スリーブの仮圧縮工具１を示しており、図１は、仮圧縮工具１を示す図であり、正面図（ａ）、右側面図（ｂ）、及び斜視図（ｃ）である。この仮圧縮工具１は、例えば送電線の建設時や事故による断線から復旧する場合、送電線等の電線を圧縮スリーブの端部から挿入して圧縮接続する際に、絶縁ヤットコを用いて圧縮スリーブを仮圧縮する工具であり、主としてはさみ部１０と、一対の挟持具２０とを備えている。
【００２１】
はさみ部１０は、一対の棒状部材が交差して組み合わされてはさみ状に構成され、それぞれ図示しない絶縁ヤットコが装着されて絶縁ヤットコの開閉に伴って開閉する部材であり、例えば、電線の被覆を切断するための被覆切断用はさみにより構成されている。これは、絶縁ヤットコに装着可能な既存の工具を利用することで、簡便に圧縮スリーブを仮圧縮するためであり、絶縁ヤットコに装着可能ではさみ状の部材であれば被覆切断用はさみに限られない。このはさみ部１０は、主として刃部（一対の圧縮具）１１と、支軸１２と、アーム部１３と、ヤットコ装着部１４とを備えている。
【００２２】
刃部１１は、本来の被覆切断用はさみでは被覆を切断する箇所であり、２枚の刃が一対になって圧縮スリーブを仮圧縮する箇所である。この刃部１１は、例えばステンレス等の金属により形成されている。支軸１２は、刃部１１及びアーム部１３が回動するための支点であり、刃部１１は、ヤットコ装着部１４に装着された絶縁ヤットコが開閉するのに伴って、この支軸１２を支点として回動するように開閉する。この支軸１２には、被覆切断用はさみが開いた状態を維持するためにアーム部１３を付勢する図示しないばね部が設けられている。アーム部１３は、刃部１１を開閉させるために刃部１１から支軸１２を経由して延設されている箇所であり、感電防止のために絶縁被覆されている。ヤットコ装着部１４は、絶縁ヤットコが装着される箇所である。
【００２３】
一対の挟持具２０は、刃部１１にそれぞれ装着されて絶縁ヤットコに外力が加わらない状態では刃部１１をそれぞれ覆う箇所であり、圧縮スリーブを挟持するように構成されている。この挟持具２０は、例えば透明のシリコン樹脂等により形成され、主として本体部２１と、開口部２２と、可動域２３と、案内部２４と、スリーブ挟持部２５とを備えている。
【００２４】
本体部２１は、略円筒状で軸方向に沿って略半分に開閉するように形成された、一対の挟持具２０の本体である。開口部２２は、本体部２１の開閉面の一端に周壁に沿って設けられた、刃部１１を挿入して装着するための挿入口である。可動域２３は、後述するように、刃部１１が開口部２２から挿入されて本体部２１が閉じた状態で、圧縮スリーブを挟持する状態（第１の閉状態）から圧縮スリーブを仮圧縮する状態（第２の閉状態）まで刃部１１を動かすことが可能な領域であり、刃部１１が圧縮スリーブを仮圧縮するときに圧縮スリーブを傷つけないようにするためのスポンジ等が充填されている。案内部２４は、圧縮スリーブの端部に電線を挿入するために電線を案内するための箇所であり、略円筒状の端部に略ラッパ状に形成されている。スリーブ挟持部２５は、圧縮スリーブを挟持する箇所であり、内壁面に刃部１１が突出するように孔が設けられている。
【００２５】
次に、このような仮圧縮工具１の使用方法及び作用等について、以下に説明する。
【００２６】
図２は、図１の仮圧縮工具１を用いて圧縮スリーブＰの仮圧縮を行う状態を示す右側面図であり、図３は、図１の仮圧縮工具１における第１の閉状態を示す拡大正面図であり、図４は、図１の仮圧縮工具１における第２の閉状態を示す拡大正面図である。まず、電線Ｌ１及び電線Ｌ２の先端の被覆を剥がし、電線Ｌ１の先端部を圧縮スリーブＰの端部に挿入して、仮圧縮する。この仮圧縮は、電線Ｌ１が停電中なので、作業者の手元で行うことが可能である。そして、図２に示すように、圧縮スリーブＰを仮圧縮工具１のスリーブ挟持部２５に挟持させて、絶縁ヤットコにヤットコ装着部１４を装着して、柱上まで持ち上げる。
【００２７】
このとき、絶縁ヤットコには外力が加えられない。そのため、仮圧縮工具１の開口部２２から挿入された刃部１１は、図３に示すように、可動域２３の外側寄りに配置され、スリーブ挟持部２５側に突出していない状態になる。この状態で、圧縮スリーブＰはスリーブ挟持部２５に挟持される状態（第１の閉状態）になる。
【００２８】
次に、別の間接活線工具を使用して、電線Ｌ２を案内部２４へ挿入する。すると、電線Ｌ２の端部が略ラッパ状の案内部２４の内周壁に沿って圧縮スリーブＰの端部方向へ移動し、圧縮スリーブＰの端部に挿入される。この状態で絶縁ヤットコに外力を加えることで圧縮スリーブＰの仮圧縮が行われる。
【００２９】
このとき、絶縁ヤットコには外力が加えられるので、図４に示すように、刃部１１は可動域２３の内側寄りに配置され、スリーブ挟持部２５に設けられた孔から突出した状態になる。この状態で、圧縮スリーブＰは刃部１１により仮圧縮される状態（第２の閉状態）になる。
【００３０】
その後、圧縮器を用いて本圧縮が行われ、電線Ｌ１と電線Ｌ２とが圧縮接続される。
【００３１】
このように、この仮圧縮工具１によれば、絶縁ヤットコには外力が加えられない状態では、刃部１１がスリーブ挟持部２５側に突出せず、圧縮スリーブＰがスリーブ挟持部２５に挟持される第１の閉状態になり、絶縁ヤットコには外力が加えられる状態では、刃部１１がスリーブ挟持部２５側に突出し、圧縮スリーブＰが刃部１１により仮圧縮される第２の閉状態になるので、圧縮スリーブを挟持した状態から、そのまま他の間接活線工具を使用せずに仮圧縮を行うことができる。これにより、容易に仮圧縮を行うことが可能になるとともに、圧縮スリーブから電線が抜けてしまうことを防止できるので、配電線事故や感電事故を防止することが可能になり、作業の安全性が向上する。
【００３２】
また、略円筒状の端部に略ラッパ状の案内部２４が設けられているため、圧縮スリーブＰの端部に電線を容易に挿入することができる。さらに、一対の挟持具２０が透明のシリコン樹脂等により形成されているので、刃部１１による仮圧縮の状態を外部から確認することができる。
【００３３】
（実施の形態２）
図５は、この発明の実施の形態２に係る圧縮スリーブの仮圧縮工具１Ａを示す図であり、正面図（ａ）、及び右側面図（ｂ）である。この仮圧縮工具１Ａは、実施の形態１に係る仮圧縮工具１と同様に、電線を圧縮スリーブの端部から挿入して圧縮接続する際に、絶縁ヤットコを用いて圧縮スリーブを仮圧縮する工具であり、図１に示すはさみ部１０に替えて、はさみ部１０Ａを備えたものである。はさみ部１０Ａは、図１に示す刃部１１に替えて、圧縮部（一対の圧縮具）１１Ａを備えたものである。その他の構成については、実施の形態１に係る仮圧縮工具１と同様である。
【００３４】
圧縮部（一対の圧縮具）１１Ａは、２枚の板状部材が一対になって圧縮スリーブを仮圧縮する箇所であり、例えば、被覆切断用はさみのようなはさみ状の工具の刃部を加工して、スリーブ挟持部２５に設けられた孔から突出しやすいように突起部１１１が設けられている。これにより、絶縁ヤットコから仮圧縮する力を効率的に圧縮スリーブへ伝えることができる。
【００３５】
（実施の形態３）
図６は、この発明の実施の形態３に係る圧縮スリーブの仮圧縮工具１Ｂを示す図であり、正面図（ａ）、及び右側面図（ｂ）である。この仮圧縮工具１Ｂは、実施の形態１に係る仮圧縮工具１と同様に、電線を圧縮スリーブの端部から挿入して圧縮接続する際に、絶縁ヤットコを用いて圧縮スリーブを仮圧縮する工具であり、図１に示すはさみ部１０に替えて、はさみ部１０Ｂを備え、一対の挟持具２０に替えて一対の挟持具２０Ｂを備えたものである。
【００３６】
はさみ部１０Ｂは、図１に示す刃部１１に替えて、実施の形態２に係る圧縮部１１Ａと同様の構成である圧縮部（一対の圧縮具）１１Ｂを備え、圧縮部１１Ｂの端部に直接ヤットコ装着部１４Ｂが設けられたものである。一対の挟持具２０Ｂは、図１に示す本体部２１、開口部２２、及び可動域２３に替えて、同様の構成である本体部２１Ｂ、及び可動域２３を備え、開口部２２を備えずにはさみ部１０Ｂに一対の挟持具２０Ｂが固定されたものである。その他の構成については、実施の形態１に係る仮圧縮工具１と同様である。このような構成にしたことにより、単純な構成で簡便に本発明を適用することが可能になる。
【００３７】
以上、この発明の実施の形態について説明したが、具体的な構成は、上記の実施の形態に限られるものではなく、この発明の要旨を逸脱しない範囲の設計の変更等があっても、この発明に含まれる。例えば、上述した実施の形態では、はさみ部１０を金属により構成し、一対の挟持具２０を透明のシリコン樹脂等により構成したが、他の材料により構成してもよい。
【符号の説明】
【００３８】
１，１Ａ，１Ｂ              圧縮スリーブの仮圧縮工具
１０，１０Ａ，１０Ｂ        はさみ部
１１                        刃部（一対の圧縮具）
１１Ａ，１１Ｂ              圧縮部（一対の圧縮具）
１２                        支軸
１３                        アーム部
１４，１４Ｂ                ヤットコ装着部
２０，２０Ｂ                一対の挟持具
２１，２１Ｂ                本体部
２２，２２Ｂ                開口部
２３，２３Ｂ                可動域
２４                        案内部
２５                        スリーブ挟持部
Ｌ１，Ｌ２                  電線
Ｐ                          圧縮スリーブ
【図１】
2018148596.tif 000003
【図２】
2018148596.tif 000004
【図３】
2018148596.tif 000005
【図４】
2018148596.tif 000006
【図５】
2018148596.tif 000007
【図６】
2018148596.tif 000008